(57)【要約】【課題】軒先の躯体の施工精度が悪くとも水平に取り付けることができ、自由に上下方向の位置を調整できる鼻隠しを提供する。【解決手段】鼻板表面８ａに接面する取付面２の下方に屋外側に膨出させた膨出面３を形成して内部を空隙４とし、該膨出面３下部を屋内側に折曲して折り返し面５を形成した上で上方に立ち上げ、鼻板裏面８ｂに接面する固定面７を形成した構成を有する鼻隠し１とし、該鼻隠し１を軒先先端の断面略矩形状の鼻板８に取り付ける。【選択図】　図２
2004068475.tif 000002
【特許請求の範囲】
【請求項１】
軒先先端の断面略矩形状の鼻板に取付ける鼻隠しであって、鼻板表面に接面する取付面の下方に屋外側に膨出させた膨出面を形成して内部を空隙とし、該膨出面下部を屋内側に折曲して折り返し面を形成した上で上方に立ち上げ、鼻板裏面に接面する固定面を形成した構成を有する鼻隠し。
【請求項２】
折り返し面の屋内側端部を固定面よりも内方に突出して目隠し部を形成した請求項１に記載の鼻隠し。
【発明の詳細な説明】
【０００１】
【発明の属する技術分野】
本発明は、屋根の軒先に取付ける鼻隠しに関する。
【０００２】
【従来の技術】
従来の鼻隠しの一例としては、実公平８−８１８４号公報に開示されているものがある。図６に示すように、屋根パネル５０の先端にある軒先水切り５１に鼻隠し５２の上部先端を差し込んで連結できるように形成してあり、屋根材５３と軒樋５４の間隔を一定に保てるようにしてある。
【０００３】
また、他の一例として図７（ａ）、（ｂ）に示す鼻隠し５５、５６は、軒先水切りとは連結させず、下端に設けた水平部５７、５８を軒先に設置した勾配調整材５９、鼻板６０や垂木などの躯体の下面に釘等により固定して、軒先先端に取り付くようにしたものである。
【０００４】
【発明が解決しようとする課題】
しかし、鼻板などの躯体の施工精度はあまり高くないため、鼻板などの躯体が斜めに取り付いていたり、段差ができていたりすることが多々ある。このようなとき、これら躯体に鼻隠しを固定する際には、鼻隠し５２では、軒先水切り５１及び躯体に上手く取り付かずガタついてしまい、鼻隠し５５、５６では、鼻隠しが鼻板と共に斜めに固定されてしまうため、外観上、見栄えがよくないという問題が生じていた。また、鼻隠しは、軒樋の取付けベースとなっており、鼻隠しが斜めに取り付いていると軒樋が取り付かなくなってしまうことがあった。
さらに、鼻隠し５２では、上下方向の位置を調整することができず、鼻隠し５５、５６もこのままでは上下方向の位置を調整することができず、上下方向に位置を変更したい場合は、勾配調整材５９又は鼻板６０の寸法を調節して適切な位置に直したり、これら躯体と固定面６１、６２の間にスペーサを挟み込み調節したりしているため、コスト的にも無駄が生じていた。
【０００５】
そこで、本発明は、上記課題に鑑み、躯体の施工精度が悪くとも水平に取付けることができ、また鼻隠しの上下方向の位置を、鼻板等の調整をすることなく、スペーサを用いずとも自由に調整できる鼻隠しを提供する。
【０００６】
【課題を解決するための手段】
本発明の鼻隠しは、軒先先端の断面略矩形状の鼻板に取り付ける鼻隠しであって、鼻板表面に接面する取付面の下方に屋外側に膨出させた膨出面を形成して内部を空隙とし、該膨出面下部を屋内側に折曲して折り返し面を形成した上で上方に立上げ、鼻板裏面に接面する固定面を形成した構成を有したものとし、好ましくは、固定面の屋外側に空隙が位置するように形成する。
【０００７】
このようにすることにより、従来では、軒先水切りの位置や軒先の躯体の下面の位置により鼻隠しの位置が決まっていたが、本発明では鼻隠しを取付面と固定面で鼻板を挟むように挿入して、鼻隠しを適宜高さに調整してから固定面に釘等を打ち付けて固定するので、好適な位置に鼻隠しを取付けることができ、鼻板の寸法を変更したり、スペーサを用いなくとも高さ位置を調整できる。
また、鼻板が斜めに取り付いていたとしても鼻板の下面に沿い固定するのではなく、挟むように取付けるため、鼻隠しが水平になるよう調整して取付けることができる。
【０００８】
固定面の屋外側に膨出面を形成しているため、鼻隠しを固定する釘等を打ち付ける際、釘先等が鼻板の厚さより長く鼻板表面より突出しても、膨出面内側の空隙内に納まるので、鼻隠しの屋外側に突出してしまうことはない。また固定面の屋外側に空隙が位置するように形成しておけば、固定面のどの部位から釘等を打ち付けても鼻隠しの屋外側に突出することはない。
【０００９】
折り返し面の屋内側端部を固定面よりも内方に突出して目隠し部を形成する構成とすれば、固定面より打ち付けた釘等の頭が屋外側から見えにくくなり外観上優れた鼻隠しとなる。
【００１０】
【発明の実施の形態】
以下、図面を用いて本発明の一実施例を説明する。
図１は、本発明の鼻隠しの一実施例の斜視図、図２は、軒先に図１の鼻隠しを取付けた状態を示した概略側断面図、図３（Ａ）〜（Ｃ）は、いずれも目隠し部の変形例を示す部分側面図、図４は、図１の鼻隠しを鼻板に取付ける方法を示した概略側断面図、図５は、図１の鼻隠しの下部を示す拡大側断面図である。
【００１１】
鼻隠し１は、図１又は図２に示すように、板材を折曲形成し、取付面２、膨出面３、空隙４、折り返し面５、目隠し部６及び固定面７を主な構成として備えている。
取付面２は、平板状に形成され、鼻板８の鼻板表面８ａに接面するように取付ることができ、屋外側から取付面２には、軒樋支持具９が固定できるようにしてある。また、取付面２の上方を屋外側に折曲し、その先端をさらに斜め下方に折曲して水切り１０を形成して、屋根材１１から流れ落ちてきた雨水等を受けて軒樋１２に流れ落ちやすくしている。なお、水切り１０は必要なければ設けなくともよい。
【００１２】
膨出面３は、取付面２の下端を屋外側へ斜め下方に折曲し、その屋外側前端を垂直下方に折曲して形成し、その内方に空隙４を設けている。膨出面３は、鼻板８に鼻隠し１を取付けた際、軒樋支持具９を屋外側から見えにくくし、軒先外観をよくすることができるため、できるだけ屋外側に膨出させることが好ましいが、軒樋１２の取付けを妨げない程度に膨出させるようにする。また、図では折曲して膨出させているが、湾曲状に膨出させてもよく、軒樋１２に当接しなければ適宜の形状に膨出させてもよい。
【００１３】
折り返し面５は、膨出面３下端を屋内側に折曲し、鼻板下面８ｃを覆うように形成する。図では、平面状に形成しているが、鼻板下面８ｃを覆うことができれば断面湾曲形状や、断面折曲した適宜形状にしてもよい。
【００１４】
目隠し部６は、折り返し面５の屋内側端部を屋内側に突出させてコの字状に形成してある。突出幅は、特に限定するものではないが、固定面７上に取付けた釘、ねじ等の頭が屋外側から隠れるような適宜幅でよい。目隠し部６の形状は、図３（Ａ）、（Ｂ）に例示するように、屋内側に平板状に突設したり、略三角形状に折曲したりしてもよく、別材を固着するようにしてもよい。また釘等の頭を隠す必要がない場合は、図３（Ｃ）のように設けなくともよい。なお、図３は、目隠し部の一例を示しており、これらの形状に限定されるものではない。
【００１５】
固定面７は、目隠し部６から鼻板裏面８ｂに沿わせて上方垂直に折曲して平面状に形成し、釘、ねじ等を用いて鼻板裏面８ｂに固定できるようにしている。固定面７の高さは、特に限定するものではないが、膨出面３の上端（取付面２の下端）よりも低く形成し、固定面７の屋外側に空隙４が位置するに形成するのが好ましく、このようにしておけば、鼻板８の厚さより長い長さ釘、ねじ等を使用し固定する場合に、固定面７上のどの部位に釘、ねじ等を打ち付けても、空隙内に釘等の先端が納まり、鼻隠し１の屋外側に釘、ねじ等の先端が突出することがない。
【００１６】
以下に、鼻隠し１の鼻板８への取付方法を説明する。
図４に示すように、軒先にある断面略矩形状の鼻板８は下部が下方に突設されており、鼻隠し１の取付面２を鼻板表面８ａ、固定面７を鼻板裏面８ｂに接面させるように鼻板８を挟み込みながら下方から取付ける。
この際、屋根材１１先端と水切り１０の間隔Ａを適宜調整しながら取付けるようにする。間隔を狭く、つまり鼻隠し１を高い位置に取付けたい場合は、鼻隠し１を上方に移動させ、鼻板下面８ｃが折り返し面５に接面する位置、図３では破線で示した位置まで上方に取付けることができる。逆に間隔を広く、つまり鼻隠し１を低い位置に取付けたい場合は、鼻隠し１下方に移動させ、固定面７上に固定するための釘等が打てる実線位置まで下方に取付けることができる。このため、高さ位置を調整する際には、従来では鼻板の寸法を変更したり、スペーサを設けたりしていたが、このようなことすることなく、適宜高さに鼻隠し１を取付けることができる。
水切り１０を設けない鼻隠し１の場合は、取付ける軒樋１２の位置や外観からの見栄えを考慮して、高さを調整するようにする。
【００１７】
また、従来では、鼻板８が斜めに取り付いていた場合は、鼻板下面８ｃに鼻隠し１を合わせて取付けていたため、鼻隠し１も斜めに取り付いてしまっていたが、本発明では、取付面２及び固定面７を鼻板表面８ａ及び鼻板裏面８ｂに接面させて取付けるため、躯体の施工精度が悪くとも、これらの鼻板下面８ｃの状態とは関係なく、屋外側から鼻隠し１の水平状態を確認し、調整しながら取付けることができる。
【００１８】
取付ける位置が決定したら、図５に示すように、固定面７上に釘１３等を打ち付け鼻板裏面８ｂに鼻隠し１を固定させる。この際、釘１３等の長さが、鼻板８の厚さよりも長い釘１３等を使用しても、図に示すように、先端が空隙４の中に納まり屋外側から見えることがない。このため、若干長めの釘１３等を用いて鼻隠し１を強固に固定することができる。また、固定面７の屋外側に空隙４が位置するようにしておけば、固定面７のどの部位に釘１３等を打ち付けても空隙４内に納まり、鼻隠し１の屋外側に突出してしまうことはない。このため、空隙４を屋外側に幅広く採るのが好ましく、図に破線で示すように、取付面２の下端を屋外側に鉛直に折曲して膨出面３を形成すれば空隙４をより大きく採れるので好ましい。
【００１９】
鼻隠し１を鼻板８に固定したら、屋外側から取付面２に軒樋支持具９を釘、ねじ等により固定し、軒樋１２を固定することにより軒先を形成することができる。
【００２０】
【発明の効果】
以上のように、本発明の鼻隠しは、鼻板表面に接面するように取付面を形成し、その下方を屋外側に膨出させて内部を空隙とし、鼻板裏面に固定させる固定面を形成することにより、鼻隠しの取付高さを調整することができ、固定面に鼻板厚さより長い釘等を打ち付けても鼻隠し屋外側に突出させることなく、また固定面の屋外側に空隙を位置させることにより、固定面のどの部位から釘等を打ち付けても空隙内にその先端を納めることができ、さらに目隠し部を設けることにより、固定面に取付けた釘等の頭を隠すことができ外観上優れた鼻隠しとすることができる。
【図面の簡単な説明】
【図１】本発明の鼻隠しの一実施例の斜視図である。
【図２】軒先に図１の鼻隠しを取付けた状態を示した概略側断面図である。
【図３】（Ａ）〜（Ｃ）はいずれも目隠し部の変形例を示す部分側面図である。
【図４】図１の鼻隠しを鼻板に取付ける方法を示した概略側断面図である。
【図５】図１の鼻隠しの下部を示した拡大断側面図である。
【図６】従来の鼻隠しの一例を示す側面図である。
【図７】他の従来の鼻隠しの一例を示す側面図である。
【符号の説明】
１　鼻隠し
２　取付面
３　膨出面
４　空隙
５　折り返し面
６　目隠し部
７　固定面
８　鼻板
８ａ　鼻板表面
８ｂ　鼻板裏面
８ｃ　鼻板下面
９　軒樋支持具
１０　水切り
１１　屋根材
１２　軒樋
１３　釘
５０　屋根パネル
５１　軒先水切り
５２　鼻隠し
５３　屋根材
５４　軒樋
５５、５６　鼻隠し
５７、５８　水平部
５９　勾配調整材
６０　鼻板
６１、６２　固定面
【図１】
2004068475.tif 000003
【図２】
2004068475.tif 000004
【図３】
2004068475.tif 000005
【図４】
2004068475.tif 000006
【図５】
2004068475.tif 000007
【図６】
2004068475.tif 000008
【図７】
2004068475.tif 000009